(57)【要約】      （修正有）【課題】ＡＰＤを作業衣の外部から透けて見えるように収容できるポケットを備えているが、そのポケットに入れたＡＰＤが作業衣の外からの放射線に全く曝されることがないようにしたＡＰＤ収容用のポケットを有する放射線防護服を提供する。【解決手段】放射線防護服の表面に、柔軟な透明シート５ａ、６ａを当てがい当該シートの全外周を前記防護服表面に接着等により固着する一方、前記シートの外周に囲まれた当該防護服の生地に、その防護服の裏面から表面に通じるＡＰＤ出入れ口５ｃ、６ｃを形成したこと。【選択図】図１
0003180634.tif 000002
【実用新案登録請求の範囲】
【請求項１】
放射線防護服の表面に、柔軟な透明シートを当てがい当該シートの全外周を前記防護服表面に接着等により固着する一方、前記透明シートの外周に囲まれた当該防護服の生地に、その防護服の裏面から表面に通じるＡＰＤ出入れ口を形成したことを特徴とするＡＰＤ収容部付き放射線防護服。
【請求項２】
透明シートは、収容するＡＰＤを覆うことができる大きさの多角形又は円形若しくは楕円形である請求項１に記載の防護服。
【請求項３】
ＡＰＤ出入れ口は、配置された透明シートの下に位置する防護服の生地にスリット状に設け、当該出入れ口に被さるフラップを設けた請求項１又は２に記載の防護服。
【請求項４】
ＡＰＤ収容部は、防護服の左右両側に、表裏に関し対称な形態となるように設けた請求項１〜３のいずれかに記載の防護服。
【請求項５】
ＡＰＤ収容部は、防護服の胸部、又は、胸部以外の部位に設けた請求項１〜４のいずれかに記載の防護服。
【考案の詳細な説明】
【技術分野】
【０００１】
本発明は、原子力発電所等の放射線環境において作業員等が着用する放射線防護服に関し、より具体的には、線量計を外部から見える形態であって汚染されることのない態様で収容できる線量計ポケットを備えた放射線防護服に関する。
【背景技術】
【０００２】
原子力発電所等の放射線環境では、放射線管理のため、当該環境域を汚染レベルに対応して複数の区域に分けて管理しており、作業員はそれぞれの区域に適合した専用作業衣を着用して作業に従事している。
【０００３】
そして線量の高い区域での作業では、作業員は警報付ポケット線量計（Ａｌａｒｍ  Ｐｏｃｋｅｔ  Ｄｏｓｉｍｅｔｅｒ、以下、略して「ＡＰＤ」という。なお、本明細書では、線量計をその形式，構造を問わずすべて「ＡＰＤ」と略称する）を作業衣の胸ポケットなどに入れて、作業で許容される被曝量を管理することが行われているが、ＡＰＤを付け忘れたり、ＡＰＤを携行しないで作業を行うと、被曝線量の管理ができず危険である。
【０００４】
作業員がＡＰＤをポケット等に入れて携行しているか否かを外見上すぐ判るようにするため、例えば作業衣の胸ポケットをビニール生地などの透明材料で形成することが考えられるが、作業衣の透明ポケットに作業衣の外からＡＰＤを出し入れすると、当該ＡＰＤ自体が前記ポケットの出入れ口から侵入する放射線に汚染されてしまうという問題が生じる。
しかし乍ら、このような問題に関しては、特許文献１〜３に開示された放射線防護服では、全く検討されていない。
【先行技術文献】
【特許文献】
【０００５】
【特許文献１】特開２００１−１１６８８６号公報
【特許文献２】特開２００５−２３４６０号公報
【特許文献３】実用新案登録第３１６００５３号公報
【考案の概要】
【考案が解決しようとする課題】
【０００６】
そこで本考案では、ＡＰＤを作業衣の外部から透けて見えるように収容できるポケットを備えているが、そのポケットに入れたＡＰＤが作業衣の外からの放射線に全く曝されることがないようにしたＡＰＤ収容用のポケットを有する放射線防護服を提供することを、その課題とする。
【課題を解決するための手段】
【０００７】
上記課題を解決することを目的としてなされた本考案防護服の構成は、放射線防護服の表面に、柔軟な透明シートを当てがい当該シートの全外周を前記防護服表面に接着等により固着する一方、前記透明シートの外周に囲まれた当該防護服の生地に、その防護服の裏面から表面に通じるＡＰＤ出入れ口を形成したことを特徴とするものである。
【０００８】
本考案において、柔軟な透明シートの外周は、接着又は溶着若しくは縫着のいずれかによって防護服の表面に固着すればよい。なお、取付けられた透明シートの裏面側の防護服生地の素材をメッシュ地など乾き易い素材にすることができる。
【０００９】
また、透明シートは、周囲の固着部を除き収容するＡＰＤを覆うことができる大きさの四角形状が望ましいが、四角形状以外の多角形、或は円形や楕円形であってもよい。
【００１０】
本考案では、ＡＰＤポケットを防護服の左右の両側に設けることができる。
【００１１】
通常、ＡＰＤを携帯して着用する防護服には、使用した後に洗濯して再使用するタイプのものがある。
【００１２】
使用した防護服は、着用した後に脱ぐ際、裏返しになってしまうことがあるが、脱ぐとき裏返しになった防護服は、次の使用のために表返しにしなければならない煩わしさがある。
【００１３】
この煩わしさを回避するため、表裏両面のいずれの面でも着用できるようにした防護服が提供されている。しかし、このような両面着用タイプの防護服では、例えば左胸の表側に設けたポケットの位置は、裏返すと右胸の裏側に来てしまう。このため前記段落０００７の構成を備えた防護服では、裏返した防護服の左胸にＡＰＤを収容できるポケットが形成できない。
【００１４】
そこで本考案では、前記の段落０００７のＡＰＤ収容ポケットの構成を、一例として、当該防護服の左胸と右胸の位置に、表面と裏面に関し対称な関係となるように柔軟な透明シートとスリット状ＡＰＤ出入れ口を設けた形態の構成として、本考案ＡＰＤ収容部を表裏内面使用タイプの防護服に適用することができる。
【００１５】
この構成によれば、防護服を表側で着用しても、裏返しにして着用しても、必ずＡＰＤを防護服の内側から入れるようにしたポケットが左胸の部位に位置することになる。
【００１６】
本考案において、ポケットを形成する柔軟透明シートとスリット状のＡＰＤ出入れ口によるＡＰＤ収容部の防護服上での設置部位は、基本的には、男性は左胸部、女性の場合は下腹部（臍より稍下方）を目安とするが、これに限られるものではない。例えば、胸部より下方の腹部、背部、肩部、上腕部、腰部、大腿部など、或は、上衣部の前身頃、後身頃、ズボン部の適宜の部位などのいずれかであってもよい。
【考案の効果】
【００１７】
本考案は、放射線防護服の表面に、柔軟な透明シートを当てがい、当該シートの全外周を前記防護服表面に接着等により固着する一方、前記シートの固着外周に囲まれた当該防護服表面に、その防護服の裏面から表面に通じるスリット状のＡＰＤ出入れ口を形成して防護服ＡＰＤ収容部としたから、ＡＰＤを携行しているか否かが一目で判ると共に、収容されたＡＰＤが外側に全く露出しないので、作業環境の放射線で汚染されることがない。また、裏返して着用する防護服でも、表側で着用する場合と同じ部位にＡＰＤ収容部が位置するので、使い勝手が良好な上に、ＡＰＤが収容されているか否かのチェックも行い易いという利点がある。
【図面の簡単な説明】
【００１８】
【図１】本考案防護服一例の正面図。
【図２】図１のＡ−Ａ矢視拡大断面図。
【図３】図１のＢ−Ｂ矢視拡大断面図。
【考案を実施するための形態】
【００１９】
図１は、本考案防護服Ｗの一例を正面から見た状態を示したもので、フード１，上衣２，ズボン３を一体に具備した作業着タイプのものである。
【００２０】
上記防護服Ｗにおいて、フード１と上衣２はフード１の首部と上衣２の襟部において一体に連続するように形成され、上衣２とズボン３とは、上衣２の裾とズボン３の胴部において一体に連続するように形成されている。
【００２１】
この防護服Ｗは、フード１の顔面開口部１ａから上衣２の前身頃中心を通って下腹部に連なるラインファスナ４を備えており、このファスナ４の開閉により着脱を行う点は、通常の上下衣一体型作業着と同様である。なお、ファスナ４は前身頃側に代え、又は、一緒に背中側に設けることもあるが、ファスナ４の取付構造，取付位置は本考案においては任意である。４ａはファスナのムシをカバーして隠すためのファスナカバーである。
【００２２】
本考案防護服Ｗの素材は、通常の布製や不織布製であるが、吸湿性繊維や非吸湿性繊維などの多層構造布や多層構造の不織布、その他の構造の布地などを用いることもできる。
【００２３】
上記防護服Ｗの上衣２には、左右の長袖２ａ，２ｂがあり、袖口２ｃ，２ｄはゴムベルトや紐などで拡縮自在構造を備え、また、ズボン３は左右の筒部３ａ，３ｂがあって裾３ｃ，３ｄは、ゴムベルトや紐などによって拡縮自在構造を備えている。袖口２ｃ，２ｄや裾３ｃ，３ｄの拡縮構造は、上記ベルトや紐による構造以外の構造例えばファスナを用いたものであってもよい。
【００２４】
上記防護服Ｗにおいて、本考案では、上衣２の右胸部に、本考案によるＡＰＤ収容部５を形成したので、図２を参照してその構造について以下に説明する。
【００２５】
図２において、２ｅは前記の上衣２における右側の前身頃の生地であり、本考案はこの生地２ｅの前面（上衣２の外面側）に、透明な例えばビニール地のような柔軟シートによる正面視略四角形のポケット外皮５ａが、その外周を接着や溶着などによる固着層５ｂを介して取付けられている。
【００２６】
前記のポケット外皮５ａは、全く平坦ではなく、厚さのあるＡＰＤ１０を余裕を持って収容できるように、タルませて前身頃生地２ｅに取付けられている。５ｃは前記ポケット外皮５ａが設けられた部位の生地２ｅにおける上部に開口形成したＡＰＤ出入れ口であり、この出入れ口５ｃには、その口５ｃをカバーするフラップ５ｄが縫着により設けられている。図２，図３の出入れ口５ｃは、上下幅を有する態様で表示されているが、本考案の出入れ口５ｃは生地２ｅに口幅の長さで切断線（スリット）を入れただけのものであってもよい。
【００２７】
ＡＰＤ収容部５を上記のように構成すると、上衣２の右側前身頃の胸部内側に形成した出入れ口５ｃから表側の収容部にＡＰＤ１０を入れると、上衣２の胸部の前面側（外部側）から透明なポケット外皮５ａを透して中にあるＡＰＤ１０を確認することができる。この収容部５は、防護服Ｗの外側に直接通じる部分が全くないので、収容したＡＰＤ１０が収容部５の外部からの放射線に汚染されることがない。
【００２８】
一方、防護服Ｗの表裏を裏返して使用できるタイプの防護服では、図１の右側に位置した前身頃の生地２ｆの裏面に、図１の左側のＡＰＤ収容部５と生地の表裏に関して対称な関係になるＡＰＤ収容部６を設けることがある（図３参照）。
【００２９】
すなわち、図１及び図３において、６はＡＰＤ収容部、６ａは図１における防護服Ｗの生地２ｆの裏面（図１の防護服Ｗから見て）に固着層６ｂを介して設けた透明なポケット外皮、６ｃはＡＰＤ出入れ口、６ｄは前記出入れ口６ｃに縫着して設けたフラップであり、このＡＰＤ収容部６は、図１の防護服Ｗを裏返すと、前記収容部６が上衣２の右側に位置することとなる。
【００３０】
本考案において、ＡＰＤ収容部５（６）の位置は、図示した実施例の胸部に限られるものではない。上衣２においては前身頃の下方部（腹部）や脇部（腰部）、袖（腕部）など、また、ズボン３においては大腿部の前方や側部、腰部、或は、ズボンの筒部の下半側など、任意の位置を選択することができる。
【００３１】
本考案防護服は以上の通りであるから、線量計を携行することを必須とする放射線領域での諸作業を行う際に着用する防護服としてきわめて有用である。
【符号の説明】
【００３２】
Ｗ  防護服
１  フード
２  上衣
３  ズボン
４  ファスナ
５，６  ＡＰＤ収容部
５ａ，６ａ  透明ポケット外皮
５ｂ，６ｂ  固着層
５ｃ，６ｃ  ＡＰＤの出入れ口
５ｄ，６ｄ  フラップ
【図１】
0003180634.tif 000003
【図２】
0003180634.tif 000004
【図３】
0003180634.tif 000005